(57)【要約】【課題】折屋根板上に簡便に太陽電池モジュールを設置することができ、かつ、設置後の外観を美しく保つことができる、太陽電池モジュールの設置具を提供する。【解決手段】太陽電池モジュールの設置具１は、折板屋根板１０の上に配置され、太陽電池モジュール４を下方から支持する支持部２１を有する受け台２と、起立部１２を上方から覆う連結部３２を有するとともに、太陽電池モジュール４を上方から押さえるモジュール押さえ部３１を有する嵌合キャップ３とを備える。【選択図】図１
2007123730.tif 000002
【特許請求の範囲】
【請求項１】
屋根板材の縁部を折り曲げて形成した起立部が対峙するように、複数の上記屋根板材を配置し、当該起立部を互いに接続することにより上記複数の屋根板材が連結されて成る折板屋根板上に太陽電池モジュールを設置するための設置具であって、
上記折板屋根板上に配置され、上記太陽電池モジュールを下方から支持する支持部を有する受け台と、
上記起立部を上方から覆う連結部を有するとともに、上記太陽電池モジュールを上方から押さえるモジュール押さえ部を有するキャップとを備えることを特徴とする太陽電池モジュールの設置具。
【請求項２】
上記受け台は、上記支持部の位置よりも上方に延出する制限部であって、かつ、上記太陽電池モジュールを上記支持部の上に載置した場合に当該太陽電池モジュールの縁部と当接する位置に配された制限部をさらに備えることを特徴とする請求項１に記載の太陽電池モジュールの設置具。
【請求項３】
上記受け台は、導電性の物質により形成されていることを特徴とする請求項１または２に記載の太陽電池モジュールの設置具。
【請求項４】
導電性の物質により形成されており、複数の上記受け台と接触することにより、当該複数の受け台を電気的に接続する接続金具をさらに備えていることを特徴とする請求項３に記載の太陽電池モジュールの設置具。
【請求項５】
上記支持部の端部には、下方に延出する仕切り部が設けられていることを特徴とする請求項１〜４のいずれか１項に記載の太陽電池モジュールの設置具。
【請求項６】
上記モジュール押さえ部は、上記キャップを上記起立部に配した場合に、当該起立部の長手方向に沿って延びていることを特徴とする請求項１〜５のいずれか１項に記載の太陽電池モジュールの設置具。
【請求項７】
上記屋根板材には、上記起立部の端部を外方へ折り曲げて成る接続部が形成されており、
上記連結部は、上記接続部をも覆うものであり、
上記連結部が有する、対向する２つの側壁の縁部のうち、上記モジュール押さえ部から最も遠い位置にある縁部には、上記接続部に連係することができる鉤状の突起が設けられていることを特徴とする請求項１〜６のいずれか１項に記載の太陽電池モジュールの設置具。
【請求項８】
上記連結部は、上記側壁の内側に、内側へと突出した段差を有していることを特徴とする請求項１〜７のいずれか１項に記載の太陽電池モジュールの設置具。
【請求項９】
上記太陽電池モジュールを含む平面において上記キャップの伸長方向に対して直交する方向に配されるとともに、上記太陽電池モジュールを上方から押さえる補助モジュール押さえ部を有する補強具をさらに備えることを特徴とする請求項１〜８のいずれか１項に記載の太陽電池モジュールの設置具。
【請求項１０】
上記太陽電池モジュールを上方から押さえる補助モジュール押さえ部を有する第一補助部と、
導電性の物質により形成された接続手段を有する第二補助部とを有する複合補強具をさらに備え、
上記第一補助部と上記第二補助部とは、上記太陽電池モジュールを含む平面において上記キャップの伸長方向に対して直交する方向に配されており、
上記補助モジュール押さえ部と上記第二補助部とは、所定の間隔を置いて互いに平行に配されており、
上記接続手段の両端部は、上記太陽電池モジュールの両脇に配置された上記受け台とそれぞれ電気的に接続されていることを特徴とする請求項３に記載の太陽電池モジュールの設置具。
【発明の詳細な説明】
【技術分野】
【０００１】
本発明は、折板屋根板の上に太陽電池モジュールを設置するための太陽電池モジュールの設置具に関するものである。
【背景技術】
【０００２】
太陽光発電は、無尽蔵でクリーンな太陽光エネルギーを利用して発電する発電様式であり、石油など限りのある資源を利用する発電よりも環境に対する影響の少ない発電様式として注目されている。
【０００３】
太陽光発電を行う場合には、太陽光エネルギーを電気エネルギーに変換する太陽電池モジュールを太陽光のあたる場所に設置する必要があるが、このとき考慮しなければならない点がいくつかある。
【０００４】
まず、太陽電池モジュールの周縁部を保護することが好ましいという点が挙げられる。機械的な構造強度が弱い太陽電池モジュールの場合には、その周縁部に機械的なストレスが加わると、モジュールの表面を覆う保護材がはがれるなどの破損が生じる可能性が高い。そのため、太陽電池モジュールの周縁部を保護できる設置方法を採用することが好ましい。
【０００５】
また、設置作業が簡単で、コストが安く、モジュールの総重量が軽い、設置方法であることが好ましい。さらに、設置後の外観が美しいことが好ましい。
【０００６】
上記の要求を満たすために、太陽電池モジュール自体の開発とともに、太陽電池モジュールの設置方法についても、開発が行われている。
【０００７】
例えば、特許文献１に記載の発明においては、太陽電池モジュールを、支持部材の上に載置し、キャップ材を上方から支持部材に差し込むことによって当該太陽電池モジュールを挟持固定している。そして、キャップ材には差し込み部を設け、支持部材には係止部を設け、差し込み部が係止部によって係止されることでキャップ材を固定している。
【０００８】
上記の発明により、太陽電池モジュールの周縁部を保護しつつ、簡便な設置作業により設置でき、設置後の外観が美しい設置方法を実現している。
【０００９】
ところで、一般家庭においては、太陽電池モジュールは、通常、家屋の屋根に設置される。この場合には、屋根板材の接続様式を考慮して太陽電池モジュールの設置方法が決定されている。
【００１０】
例えば、折板屋根板材の端部を折り曲げ、折り曲げた端部どうしを連結させることにより複数の屋根板材を接続する場合には、屋根板材の接続部を挟む（または、またぐ）形で、太陽電池モジュールを支持する金具をボルト等により固定する方法がとられている。
【特許文献１】特開平６−３１８７２９号公報（１９９４年１１月１５日公開）
【発明の開示】
【発明が解決しようとする課題】
【００１１】
ところが、上記従来の、折板屋根への設置方法では、太陽電池モジュールを支持する金具を固定するときに手間がかかるとともに、太陽電池モジュールの周縁部を保護するためには、太陽電池モジュール本体に保護部材を設ける必要があるという問題が生じる。さらに、設置後に太陽電池モジュールを支持する金具が露出するため、外観が美しくないという問題もある。
【００１２】
一方、特許文献１に記載の発明においては、支持部材を屋根板にボルト等により固定しなければならないため、作業が煩雑になるという問題がある。また、屋根板材の接続部を挟むように支持部材を設置しようとした場合には、当該接続部によって、キャップ材と支持部材とのカップリングがうまくいかないという問題が生じる。
【００１３】
本発明は、上記の問題点を解決するためになされたもので、その目的は、太陽電池モジュールの周縁部を保護しつつ、太陽電池モジュールを、折板屋根に簡便に設置でき、しかも設置後の外観も美しい、太陽電池モジュールの設置具を提供することにある。
【課題を解決するための手段】
【００１４】
本発明に係る太陽電池モジュールの設置具は、上記の課題を解決するために、屋根板材の縁部を折り曲げて形成した起立部が対峙するように、複数の上記屋根板材を配置し、当該起立部を互いに接続することにより上記複数の屋根板材が連結されて成る折板屋根板上に太陽電池モジュールを設置するための設置具であって、上記折板屋根板上に配置され、上記太陽電池モジュールを下方から支持する支持部を有する受け台と、上記起立部を上方から覆う連結部を有するとともに、上記太陽電池モジュールを上方から押さえるモジュール押さえ部を有するキャップとを備えることを特徴としている。
【００１５】
上記の構成によれば、屋根板上に配置された受け台が有する支持部に太陽電池モジュールを載置し、キャップのモジュール押さえ部によって上方から太陽電池モジュールを押さえることにより、当該太陽電池モジュールを簡便に固定することができる。
【００１６】
このとき、キャップの連結部は、屋根板材の起立部を覆うように配置されるため、キャップの、折板屋根板に対する位置は固定される。それゆえ、折板屋根板にボルト孔を空けることなく、起立部に沿って連続的に太陽電池モジュールを設置することができる。しかも、ボルト等を露出させることがないため、設置後の外観を美しく保つことができる。
【００１７】
さらに、モジュール押さえ部が上方から太陽電池モジュールを押さえることにより、当該太陽電池モジュールの縁部の少なくとも一部を保護することができる。
【００１８】
なお、上記上方とは、太陽電池モジュールを起点として上空へ向かう方向であり、上記下方とは、太陽電池モジュールを起点として屋根に向かう方向である。
【００１９】
また、上記受け台は、上記支持部の位置よりも上方に延出する制限部であって、かつ、上記太陽電池モジュールを上記支持部の上に載置した場合に当該太陽電池モジュールの縁部と当接する位置に配された制限部をさらに備えることが好ましい。
【００２０】
上記の構成によれば、受け台には支持部とともに、当該支持部の位置よりも上方に延出する制限部が設けられている。そのため、太陽電池モジュールを支持部の上に載置し、当該太陽電池モジュールの縁部を制限部に当接させることにより、当該太陽電池モジュールの、折板屋根板と平行な方向への変位を制限できる。
【００２１】
それゆえ、太陽電池モジュールをより安定的に設置することができる。
【００２２】
また、上記受け台は、導電性の物質により形成されていることが好ましい。
【００２３】
上記の構成によれば、受け台は導電性の部材であるため、当該受け台にアース線を接続すれば、太陽電池モジュールのアース配線の一部として利用することができる。
【００２４】
また、上記太陽電池モジュールの設置具は、導電性の物質により形成されており、複数の上記受け台と接触することにより、当該複数の受け台を電気的に接続する接続金具をさらに備えていることが好ましい。
【００２５】
上記の構成によれば、接続金具により複数の受け台が電気的に接続されるため、当該受け台をアース配線の一部として利用する場合に、受け台の相対的な位置がずれたり、受け台の間隔が空いたりすることにより当該アース配線が遮断される虞を低減することができる。
【００２６】
また、上記支持部の端部には、下方に延出する仕切り部が設けられていることが好ましい。
【００２７】
上記の構成によれば、受け台の本体と、支持部と、仕切り部とによって囲まれる空間が形成される。そのため、この空間に太陽電池モジュールのケーブル、例えば、送電用のケーブル、を収納することができ、外観をより美しくすることができる。
【００２８】
また、上記モジュール押さえ部は、上記キャップを上記起立部に配した場合に、当該起立部の長手方向に沿って延びていることが好ましい。
【００２９】
上記の構成によれば、上記キャップを上記起立部に配した場合に、モジュール押さえ部は、上記起立部の長手方向に沿って延びているため、上記長手方向に沿って太陽電池モジュールを設置する場合に、当該太陽電池モジュールの縁部を幅広く保護することができる。なお、上記長手方向とは、起立部が有する辺のうち、上方へと延びる方向に平行な辺に対して直交する辺が延びる方向である。
【００３０】
また、上記屋根板材には、上記起立部の端部を外方へ折り曲げて成る接続部が形成されており、上記連結部は、上記接続部をも覆うものであり、上記連結部が有する、対向する２つの側壁の縁部のうち、上記モジュール押さえ部から最も遠い位置にある縁部には、上記接続部に連係することができる鉤状の突起が設けられていることが好ましい。
【００３１】
上記の構成によれば、連結部が有する、対向する２つの側壁の縁部のうち、モジュール押さえ部から最も遠い位置にある縁部、換言すれば、キャップが起立部に取り付けられた場合に最も折板屋根板に近い位置にある縁部には、鉤状の突起が形成されている。この鉤状の突起が、屋根板材の接続部に引っ掛かることにより、キャップが起立部および接続部から乖離することが防止される。それゆえ、太陽電池モジュールをより安定的に設置することができる。
【００３２】
なお、上記外方とは、対峙する起立部において、一方の起立部を起点として、他方の起立部から遠ざかる方向である。
【００３３】
また、上記連結部は、上記側壁の内側に、内側へと突出した段差を有していることが好ましい。
【００３４】
上記の構成によれば、キャップが有する、連結部の側壁の内側に、当該側壁の内側へ向かう方向に突出した段差が設けられている。対峙する起立部の間に、当該起立部を連結するための吊子が挟持されている場合に、上記段差に、吊子の端部を当接させることにより、キャップが上方に脱離することが防止できる。
【００３５】
なお、吊子は、通常、屋根の野路板などに強固に固定されているため、キャップの脱離を防止するための手段として好適に用いることができる。
【００３６】
また、上記段差は、階段状のものであってもよいし、突起であってもよい。また、上記段差が階段状のものである場合には、その段数は１つであってもよいし、複数であってもよい。
【００３７】
また、上記太陽電池モジュールの設置具は、上記太陽電池モジュールを含む平面において上記キャップの伸長方向に対して直交する方向に配されるとともに、上記太陽電池モジュールを上方から押さえる補助モジュール押さえ部を有する補強具をさらに備えることが好ましい。
【００３８】
上記の構成によれば、キャップの伸長方向と補強具の伸長方向とは直交しているため、太陽電池モジュールの長手方向の縁部と幅方向の縁部とをキャップと補強具とで保護できるとともに、より安定的に太陽電池モジュールを固定できる。
【００３９】
また、上記太陽電池モジュールの設置具は、上記太陽電池モジュールを上方から押さえる補助モジュール押さえ部を有する第一補助部と、導電性の物質により形成された接続手段を有する第二補助部とを有する複合補強具をさらに備え、上記第一補助部と上記第二補助部とは、上記太陽電池モジュールを含む平面において上記キャップの伸長方向に対して直交する方向に配されており、上記補助モジュール押さえ部と上記第二補助部とは、所定の間隔を置いて互いに平行に配されており、上記接続手段の両端部は、上記太陽電池モジュールの両脇に配置された上記受け台とそれぞれ電気的に接続されていることが好ましい。
【００４０】
上記の構成によれば、上記キャップに加え、補助モジュール押さえ部を有する第一補助部によって、太陽電池モジュールの長手方向の縁部と幅方向の縁部とを保護することができるとともに、より安定的に太陽電池モジュールを固定できる。
【００４１】
また、第二補助部が有する接続手段により複数の受け台を電気的に接続することができるため、当該受け台をアース配線の一部として利用する場合に、受け台の相対的な位置がずれたり、受け台の間隔が空いたりすることにより当該アース配線が遮断される虞を低減することができる。
【００４２】
さらに、補助モジュール押さえ部と第二補助部とが、所定の間隔を置いて互いに平行に配されていることにより、補助モジュール押さえ部と第二補助部とによって太陽電池モジュールの縁部を挟持することができる。これにより、太陽電池モジュールの縁部をより効果的に保護できるとともに、複合補強具を簡便に太陽電池モジュールに取り付けることができる。
【００４３】
また、第二補助部がキャップの伸長方向に対して直交する方向に配されるとともに、接続手段の両端部が、上記太陽電池モジュールの両脇に配置された受け台とそれぞれ電気的に接続されることにより、キャップの伸長方向に対して垂直な方向に配置された複数の太陽電池モジュールのアース配線を統合することができる。
【発明の効果】
【００４４】
本発明に係る太陽電池モジュールの設置具は、以上のように、屋根板材の縁部を折り曲げて形成した起立部が対峙するように、複数の上記屋根板材を配置し、当該起立部を互いに接続することにより上記複数の屋根板材が連結されて成る折板屋根板上に太陽電池モジュールを設置するための設置具であって、上記折板屋根板上に配置され、上記太陽電池モジュールを下方から支持する支持部を有する受け台と、上記起立部を上方から覆う連結部を有するとともに、上記太陽電池モジュールを上方から押さえるモジュール押さえ部を有するキャップとを備える構成である。
【００４５】
それゆえ、屋根板材の接続部に沿って簡便に太陽電池モジュールを設置することができるとともに、設置後の外観を美しく保つことができるという効果を奏する。
【発明を実施するための最良の形態】
【００４６】
〔実施の形態〕
本発明の実施の一形態について図１〜図１０に基づいて説明すれば、以下のとおりである。
【００４７】
（折板屋根板１０の構造）
まず、本実施形態の、太陽電池モジュールの設置具１を用いて太陽電池モジュール４を設置する対象となる、折板屋根板１０の構造について、図２および図３を参照しつつ説明する。図２は、折板屋根板１０の構造を示す斜視図であり、図３は、２つの屋根板材１１の接続様式を示す断面図である。
【００４８】
図２に示すように、折板屋根板１０は、複数の屋根板材１１を連結することによって形成されている。そして、屋根板材１１を接続するための吊子４０が所定の間隔で、屋根板材１１の接続部分に設けられている。
【００４９】
図３に示すように、屋根板材１１の長手方向の端部は折り曲げられ、折板屋根板１０の平坦部に対して略垂直に起立した起立部１２が形成されている。そして、互いの起立部１２が対峙するように、２つの屋根板材１１が配置される。
【００５０】
さらに、起立部１２の、上方へ延びた端部は、他方の起立部１２から遠ざかる方向へ折り曲げられ、第１接続部１３が形成されている。さらに、第１接続部１３の端部は、起立部１２に近づく方向へ折り曲げられ、第２接続部１４を形成している。
【００５１】
そして、対峙する起立部１２の間には、吊子４０が挟持される。図４に吊子４０の一例を示す。同図に示すように、吊子４０は、ビス孔４４を有する底部４１、当該底部４１に対して略垂直に起立した立設部４２、当該立設部４２の、底部４１と隣接する端部とは反対側の端部から延出する吊子爪４３を有しており、一枚の平板を折り曲げることによって形成されている。
【００５２】
この吊子４０は、屋根板材１１を屋根に固定するためのものであり、以下のように使用される。すなわち、底部４１を屋根の野路板１６などにビスにより固定し、立設部４２を屋根板材１１の起立部１２の間に挿入し、吊子爪４３を屋根板材１１の第１接続部１３を覆うように折り曲げる。吊子爪４３は２つ以上設けられており、隣接する２つの第１接続部１３をそれぞれ覆うことができ、ひとつの吊子４０によって、隣接する２つの屋根板材１１を屋根に固定することができる。なお、吊子４０は上記の特徴を有するものであればよいため、吊子４０の形状は、図４に記載のものに限定されない。
【００５３】
（太陽電池モジュールの設置具１の構成）
次に、太陽電池モジュールの設置具１（以下では、設置具１と称する）の構成について、図１、図５〜１０を参照しつつ説明する。
【００５４】
図１および図５に設置具１の構成を示す。図１に示すように、設置具１は、屋根板材１１の対峙する起立部１２の両側に配置された受け台２、隣接する第１接続部１３を覆う嵌合キャップ３（キャップ）、太陽電池モジュール４の間に配された中間補強金具７（複合補強具）を備えており、さらに、図５に示すように、キャップジョイント金具６を備えている。
【００５５】
（受け台２の構造）
受け台２は、太陽電池モジュール４（以下では、モジュール４と称する）を下方から支持する台であり、左右対称となる一対の部材である。図６に一対の受け台２の構造を示す。同図に示すように、受け台２は、支持部２１、直立部２２、仕切り部２３、制限部２４、基部２５を有しており、一枚の平板を折り曲げたような形状をしている。
【００５６】
基部２５は、受け台２を屋根板材１１の上に安定的に載置するための部分であり、互いに反対方向に延出する基部２５ａと基部２５ｂとを含んでいる。基部２５と屋根板材１１との接合は、接着剤、例えば両面粘着テープ、によって行われる。受け台２には、モジュール４を載置することによって生じる重力が働いており、この重力を利用することにより上記接着剤の効果を高めることができる。
【００５７】
直立部２２は、基部２５に対して略垂直に起立しており、直立部２２の、基部２５に隣接する端部とは反対側の端部から支持部２１が延出している。
【００５８】
支持部２１は、基部２５と略平行な面によって形成されており、基部２５ｂが延出している方向へ延出している。この支持部２１によってモジュール４が支持される。左右対称である２つの受け台２は、支持部２１が互いに反対側の方向に延出するように、対峙する起立部１２の両側に配置される。
【００５９】
また、支持部２１の、直立部２２と隣接する端部とは反対側の端部は、下方に折れ曲がっており、仕切り部２３が形成されている。そのため、基部２５（または屋根板材１１）、直立部２２、支持部２１、仕切り部２３によって囲まれる空間（以下では、配線スペースと称する）が形成される。
【００６０】
さらに、直立部２２において支持部２１が延出している位置から上方（基部２５に向かう方向とは反対側に向かう方向）へ制限部２４が延出している。
【００６１】
支持部２１にモジュール４を載置し、制限部２４にモジュール４の縁部を当接させることにより、当該モジュール４の、仕切り部２３から直立部２２へ向かう方向の変位を制限できる。実際には、２つの対峙する制限部２４によりモジュール４が挟まれることにより、当該モジュール４の幅方向の変位が制限される。なお、上記幅方向とは、起立部１２または嵌合キャップ３が形成されている方向（長手方向）に対して直交する方向であって、ある起立部１２から別の起立部１２へ向かう方向である。さらに、換言すれば、上記幅方向とは、折板屋根板１０が形成されている平面において、起立部１２の形成方向と直交する方向である。
【００６２】
また、受け台２は導電性の部材であることが好ましく、例えば、鉄、銅、チタン、アルミニウム、ステンレスなどの金属によって形成されていることが好ましい。受け台２が導電性の材質からなるものとすることにより、受け台２をアース用の配線の一部として利用できる。
【００６３】
また、上記配線スペースは、モジュール４から延びるケーブル８を収めるための空間として利用できる。ケーブル８には、送電用ケーブルやアース線など、モジュール４の利用に関わるケーブルが含まれる。ケーブル８が送電用ケーブルの場合には、ケーブル８の一方の端部は、モジュール４に接続され、他方の端部は、送電先（例えば、家庭用配線）に接続される。また、ケーブル８がアース線の場合には、ケーブル８の一方の端部は、モジュール４に接続され、他方の端部は、受け台２と接続され、さらに受け台２から、基準点（地面）へと接続されるアース線が延びている。ケーブル８と受け台２との接続方法は特に限定されず、ケーブル８と受け台２とが電気的に接続されるものであればよい。例えば、直立部２２に突起部や孔を設け、当該突起部や孔を介してケーブル８を接続してもよい。
【００６４】
（嵌合キャップ３の構造）
嵌合キャップ３は、モジュール４を固定するとともに、当該モジュール４の縁部を保護するものである。図７に嵌合キャップ３の構造を示す。同図に示すように、嵌合キャップ３は、モジュール押さえ部３１、連結部３２、段差部３３、鉤部３４を有する長細い部材である。
【００６５】
連結部３２は、断面略Ｕ字の溝構造を有しており、この溝構造により、図１に示すように、屋根板材１１の第１接続部１３を覆うことができる。
【００６６】
連結部３２が有する溝構造の底部、換言すれば、第１接続部１３を覆った場合に起立部１２と第１接続部１３とによって形成される頂部の近傍に位置する部分、からモジュール押さえ部３１が延出している。
【００６７】
モジュール押さえ部３１は、モジュール４を上方から押さえるとともに、当該モジュール４の縁部を覆う部分である。嵌合キャップ３により第１接続部１３を覆った場合に、モジュール押さえ部３１は起立部１２から遠ざかる２方向に延び、かつ、折板屋根板１０に対して略平行に延びている。
【００６８】
そのため、受け台２を折板屋根板１０の上に設置した場合には、モジュール押さえ部３１と、受け台２の支持部２１とは略平行になる。そして、支持部２１にモジュール４を載置すれば、モジュール押さえ部３１と支持部２１との間にモジュール４を挟持することができる。
【００６９】
また、モジュール押さえ部３１は、モジュール４の長手方向の縁部の全体を覆うことができるように、起立部１２の長手方向に沿って、上記縁部の長さよりも長く、延びている。
【００７０】
一方、連結部３２が有する溝構造の側壁の縁部であって、当該溝構造の底部から最も離れた縁部には、上記側壁の内側へと延びる鉤状の鉤部３４が形成されている。嵌合キャップ３により第１接続部１３を覆った場合には、鉤部３４は、起立部１２に近づく方向に延び、第１接続部１３と第２接続部１４とによって形成される接続頂部１５に当接する。
【００７１】
嵌合キャップ３を第１接続部１３から脱離させる力が働いた場合に、鉤部３４が接続頂部１５に連係する（引っ掛かる）ことにより、嵌合キャップ３が第１接続部１３から脱離することが防止される。
【００７２】
また、連結部３２が有する上記側壁には、当該側壁の内側へと突出する段差部３３が形成されている。段差部３３の位置は、吊子４０が設けられている場合に、当該吊子４０の吊子爪４３の、立設部４２に隣接する端部とは反対側の端部の位置よりも僅かに下方に設定されている。
【００７３】
そのため、段差部３３が吊子爪４３の上記端部に当接することにより、嵌合キャップ３が第１接続部１３から脱離することが防止される。
【００７４】
なお、嵌合キャップ３の材質は特に限定されず、適度な機械強度を付与するものであればよい。
【００７５】
（キャップジョイント金具６の役割）
キャップジョイント金具６は、嵌合キャップ３を当該嵌合キャップ３の長手方向の端部において、他の嵌合キャップ３と連結するための部材である。図８にキャップジョイント金具６の構造を示す。同図に示すように、キャップジョイント金具６は、断面略コの字型の形状をしており、底面と当該底面に対して直立する２つの側壁を有している。このキャップジョイント金具６を嵌合キャップ３の連結部分に上方からかぶせることにより、嵌合キャップ３を安定的に連結させることができる。
【００７６】
また、このキャップジョイント金具６をモジュール４の幅方向の縁部（モジュール押さえ部３１によってカバーされない縁部）の近傍に配置することにより、モジュール４が嵌合キャップ３の長手方向に沿う方向へ変位することを制限できる。
【００７７】
さらに、キャップジョイント金具６の上記底面にはケーブル等を埋設することができる窪み６ａが形成されており、この窪み６ａのために、モジュール４から延びるケーブル等を覆った状態でキャップジョイント金具６を嵌合キャップ３に装着することができる。それゆえ、ケーブル等を保護あるいは隠蔽することができ、モジュール４の機能を保全することができるとともに、外観をより美しく保つことができる。
【００７８】
（端部受け台５の構造）
上述した受け台２は、対峙する起立部１２の両側にモジュール４を設置するためのものであったが、起立部１２の片側にのみモジュール４を設置する場合に用いる受け台である端部受け台５について、図９を参照しつつ説明する。
【００７９】
端部受け台５は、モジュール４が設置されない側のモジュール押さえ部３１を支持するための台である。図９（ａ）は、端部受け台５の構造を示している。図９（ａ）に示すように、端部受け台５は、基部５３、基部５３に対して略垂直に起立した直立部５２、基部５３が配された端部とは反対側の、直立部５２の端部から延出する支持部５１を有している。また、支持部５１と基部５３とは、直立部５２の同じ側に延出しており、互いに略平行に位置している。また、直立部５２と隣接する端部とは反対側の、基部５３の端部には、上方へ略垂直に延びる延出部５４が設けられている。すなわち、延出部５４と直立部５２とは略平行に配されている。
【００８０】
図９（ｂ）は、起立部１２の片側に受け台２およびモジュール４を配置し、他方の側に端部受け台５を配置した状態を示している。図９（ｂ）に示すように、基部５３は、屋根板材１１と接し、支持部５１はモジュール押さえ部３１と接している。また、延出部５４の端部は、嵌合キャップ３の鉤部３４と接触している。
【００８１】
端部受け台５を配置することにより、嵌合キャップ３をバランスよく支持することができ、したがって、モジュール４を安定的に支持することができる。また、延出部５４の端部を、鉤部３４と屋根板材１１の起立部１２とによって挟持することにより、端部受け台５の位置を固定できる。
【００８２】
この端部受け台５も、受け台２と同様に導電性の材質により形成すれば、アース配線の一部として利用することができる。さらに、延出部５４、基部５３、直立部５２、支持部５１によって囲まれる空間を上述の配線スペースとして利用することができる。
【００８３】
（中間補強金具７の構造）
中間補強金具７は、モジュール４の間に挟持される部材であり、嵌合キャップ３とは直交する方向に配される部材である。図１０に中間補強金具７の構造を示す。図１０（ａ）に示すように、中間補強金具７は、第１押さえ部７１（補強具、第一補助部）と第２押さえ部７６（接続金具、第二補助部）とからなり、第１押さえ部７１と第２押さえ部７６とはビス７３によって連結されている。ビス７３として、例えば、ＭＢテクス４．７×２５を用いることができる。
【００８４】
第１押さえ部７１は、長細い板上の部材の裏面に、第２押さえ部７６との所定の間隔を維持するためのスペーサー７５を有している部材であり、長手方向に対して垂直な断面が略Ｔ字状になっているものである。見方を変えれば、スペーサー７５の上側端部からスペーサー７５の幅方向において、ほぼ板状の部分である翼部７４（補助モジュール押さえ部）がそれぞれ反対方向に延出している。
【００８５】
また、ビス７３を通すためのビス孔７２は、スペーサー７５を貫いて形成されている。
【００８６】
第２押さえ部７６は、長細い矩形状の上面７７、当該上面７７の長手方向の端部に配された接続端部７９、上面７７の長手方向の縁部に配された側面から形成されている。上面７７には、ビス７３を通すためのビス孔７８が配されている。
【００８７】
接続端部７９は、上面７７と連なる平面によって形成されており、その平面は、上面７７の長手方向の端部において下方に折れ曲がることにより、上面７７に対する側面７９ａを形成し、さらにこの側面７９ａに対して垂直に、かつ上面７７から遠ざかる方向に折れ曲がることにより、上面７７と平行な接続面７９ｂを形成している。すなわち、接続端部７９は、上面７７の長手方向の端部を２回直角に折り曲げることにより形成されている。
【００８８】
図１０（ｂ）に示すように、第１押さえ部７１と第２押さえ部７６とを接続した場合には、翼部７４、スペーサー７５、上面７７によって囲まれる、略コの字形状の空間が形成される。この空間にモジュール４の幅方向の縁部を挿入することができる。
【００８９】
第２押さえ部７６は、受け台２と同様に、導電性の材質により形成されていることが好ましい。第２押さえ部７６、特に上面７７および接続端部７９、を導電性の材質により形成することにより、第２押さえ部７６をアース配線の一部として利用できる。それにより、モジュール４の幅方向へアース配線を延ばすことができ、並列に配置されるモジュール４のアース配線を一体化することができる。
【００９０】
なお、スペーサー７５の高さ（翼部７４と上面７７との間隔）は、モジュール４の厚さに合うように適宜調節すればよい。また、スペーサー７５の形状は特に限定されず、２枚の板状の部材を平行に対峙させたものであってもよいし、所定の高さを有する棒状の部材であってもよい。
【００９１】
（中間補強金具７の配置）
次に、中間補強金具７の配置について、図１１および図１２を参照しつつ説明する。図１１および図１２に、中間補強金具７を受け台２に接続する場合の接続様式を示す。なお、図１１では、理解を容易にするために、モジュール４および嵌合キャップ３は省略されている。
【００９２】
図１１に示すように、中間補強金具７は、互いに平行に配置された一連の受け台２に対して直交するように配されるとともに、受け台２の隣接部分に配される。その場合に、図１２に示すように、スペーサー７５は、受け台２の支持部２１の上に載置され、接続面７９ｂは、仕切り部２３の下方側の端部と当接するように配される。換言すれば、中間補強金具７は、スペーサー７５と接続面７９ｂとで、隣接する２つの受け台２の支持部２１および仕切り部２３を挟むように配される。
【００９３】
また、第１押さえ部７１の翼部７４が、上方からモジュール４の縁部を押さえ、支持部２１が下方からモジュール４を支持するように配されるとともに、翼部７４、スペーサー７５、上面７７によって形成される空間にモジュール４の縁部が挿入される。
【００９４】
この配置により、モジュール４がさらに安定的に固定できるとともに、モジュール４の幅方向の縁部を保護することができる。
【００９５】
また、接続面７９ｂが、隣接する受け台２の仕切り部２３とそれぞれ当接することにより、隣接する受け台２の間の導電性を高めることができる。すなわち、隣接する受け台２の間に僅かな隙間ができることにより、アース配線経路が遮断される虞を低減することができる。
【００９６】
また、中間補強金具７が縦列に配置された受け台２の伸長方向（嵌合キャップ３の伸長方向）に対して直交する方向（すなわち、モジュール４の幅方向）に配されるとともに、両端部の接続端部７９が、モジュール４の両脇に配置された受け台２に対して、それぞれ電気的に接続されることにより、モジュール４の幅方向に配置された複数のモジュール４のアース配線を統合することができる。
【００９７】
（モジュール４の設置方法）
次に、モジュール４の設置方法について図１３および図１４を参照しつつ説明する。モジュール４を設置する場合には、新築屋根の葺き上げと同時にモジュール４を設置してもよいし、既設の屋根板に対してモジュール４を設置してもよい。以下では、屋根板を新設する場合の工程について説明する。
【００９８】
まず、吊子４０を野路板１６に取り付けた後、屋根板材１１の縁部を折り曲げて接続部を形成し、吊子４０により隣接する接続部を固定する。
【００９９】
次に、受け台２の基部２５を両面粘着テープまたは接着剤を用いて屋根板材１１の表面、かつ、起立部１２の両側に固定する。このとき、支持部２１とは反対方向に延出する基部２５ａの端部を起立部１２に当接させることにより、受け台２と起立部１２との間隔を所定の間隔に維持することができる。
【０１００】
次に、支持部２１の上にモジュール４を載置する。このとき、モジュール４の端部が制限部２４に当接するように載置する。対向する制限部２４でモジュール４を挟むことにより、モジュール４の幅方向の変位を制限できる。
【０１０１】
そして、図１３に示すように、組立済みの中間補強金具７を、モジュール４の幅方向に縁部に当接するように挿入する。このとき、接続面７９ｂが隣接する受け台２の仕切り部２３のそれぞれと当接するように中間補強金具７を配置する。換言すれば、隣接する受け台２のつなぎ目に中間補強金具７が位置するように各部材を配置する。さらに、図１４に示すように、挿入した中間補強金具７を挟むように、別のモジュール４を挿入する。
【０１０２】
次に、モジュール４から延びるケーブルを、受け台２の仕切り部２３によって仕切られる空間に収納するとともに、受け台２をアース配線の一部として機能させるために、当該受け台２にアース線を接続する。
【０１０３】
次に、嵌合キャップ３の連結部３２を、第１接続部１３および第２接続部１４に嵌め、モジュール押さえ部３１によってモジュール４を上方から押さえる。このとき、連結部３２の鉤部３４は、接続頂部１５に引っ掛かり、吊子４０が配置されている箇所においては、段差部３３は、吊子爪４３の端部に引っ掛かる。
【０１０４】
そして、嵌合キャップ３のつなぎ目を覆うようにキャップジョイント金具６を嵌め込む。これにより、上記つなぎ目を隠すことができるとともに、モジュール４の長さ方向への変位を制限できる。
【０１０５】
以上のように、設置具１を用いれば、折板屋根板１０の接続構造を利用することにより、折板屋根板１０に孔を空けることなく簡便にモジュール４を設置することができるとともに、受け台２および端部受け台５によって、モジュール４のケーブル８を隠すことにより、設置後の外観を美しく保つことができる。また、折板屋根板１０の上にモジュール４を設置できることから、特別な設置台を設ける必要もなく、設置台周辺が雨風に曝されることを防止する手段を設ける必要もない。
【０１０６】
さらに、嵌合キャップ３のモジュール押さえ部３１および中間補強金具７の第１押さえ部７１によって、モジュール４の縁部を保護しつつ、安定的に当該モジュール４を設置することができる。また、嵌合キャップ３の伸長方向と中間補強金具７の伸長方向とは直交しているため、モジュール４の長手方向の縁部と幅方向の縁部とを保護することができる。
【０１０７】
また、受け台２、端部受け台５、中間補強具７を利用することにより、モジュール４の長手方向および幅方向に延びる、統合されたアース配線を簡便に設けることができる。
【０１０８】
（変更例）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０９】
例えば、嵌合キャップ３の形状は、上述のものに限定されず、図１５に示すように、鉤部３４が連結部３２の先端部を鋭角に折り曲げて形成したような形状を有する鉤部３５であってもよい。
【０１１０】
また、支持部２１は平面的なものであってもよいし、その表面に凹凸を有するものであってもよい。上記凹凸と、モジュール４が有する凹凸とを嵌合させることにより、当該モジュール４の位置決めを行ってもよい。
【０１１１】
また、受け台２をアース配線の一部として利用しない場合には、当該受け台２の材質は導電性のものである必要はなく、適度な機械強度を付与するものであればよい。
【０１１２】
また、中間補強金具７をアース配線の一部として利用しない場合には、第２押さえ部７６の材質は導電性のものである必要はなく、適度な機械強度を付与するものであればよい。
【０１１３】
また、第２押さえ部７６の全体を導電性の物質により形成せずに、上面７７および接続端部７９のみを導電性の物質により形成してもよい。また、接続端部７９のみを導電性の物質により形成してもよく、この場合には、少なくとも隣接する２つの受け台２を電気的に接続することができる。
【０１１４】
また、モジュール押さえ部３１の、モジュール４と接触する面に弾性力を有するガスケット材（パッキン）を設けることにより、モジュール４をより効果的に押さえつけるようにしてもよい。
【０１１５】
また、上述の説明では、支持部２１の、直立部２２と隣接する端部とは反対側の端部に仕切り部２３が形成されているとしたが、仕切り部２３は、支持部２１の延出方向に沿う方向の辺（端部）に設けられていてもよい。
【０１１６】
なお、設置具対象となるモジュール４の機能および構造は特に限定されず、太陽電池モジュールの縁部が保護されているものでも、保護されていないものであってもよい。また、モジュール４のケーブル８は、外観を考慮すると、モジュール４の裏側から延びていることが好ましいが、この限りではない。また、受け台２をアース配線の一部として利用する場合には、モジュール４と受け台２とが電気的に接続されていればよく、必ずしもケーブル８（アース線）を介して接続される必要はない。例えば、モジュール４に設けられたアース端子と受け台２とが直接接触していてもよい。
【産業上の利用可能性】
【０１１７】
太陽電池モジュールを折板屋根板に簡便に、かつ、美しい外観を保ちつつ取り付けることができる設置具として利用できる。
【図面の簡単な説明】
【０１１８】
【図１】本実施形態の、太陽電池モジュールの設置具の構成を示す断面図である。
【図２】太陽電池モジュールが設置される折板屋根板の構造を示す斜視図である。
【図３】２つの屋根板材の接続様式を示す断面図である。
【図４】本実施形態の、太陽電池モジュールの設置具に適用できる吊子の一例を示す斜視図である。
【図５】本実施形態の、太陽電池モジュールの設置具の構成を示す斜視図である。
【図６】本実施形態の、太陽電池モジュールの設置具が備える受け台の構造を示す図である。
【図７】本実施形態の、太陽電池モジュールの設置具が備える嵌合キャップの構造を示す斜視図である。
【図８】本実施形態の、太陽電池モジュールの設置具が備えるキャップジョイント金具の構造および配置を示す斜視図である。
【図９】（ａ）は、本実施形態の、太陽電池モジュールの設置具が備える端部受け台の構造を示す斜視図であり、（ｂ）は、端部受け台を配置した状態を示す斜視図である。
【図１０】本実施形態の、太陽電池モジュールの設置具が備える中間補強金具の構造を示すものであり、（ａ）は中間補強金具の分解斜視図であり、（ｂ）は組立後の中間補強金具の斜視図である。
【図１１】中間補強金具を受け台に接続する様式を示す斜視図である。
【図１２】中間補強金具を受け台に接続する様式を示す断面図である。
【図１３】中間補強金具を挿入する工程を示す斜視図である。
【図１４】中間補強金具を挿入した後に別の太陽電池モジュールを挿入する工程を示す斜視図である。
【図１５】本実施形態の、太陽電池モジュールの設置具が備える嵌合キャップの変更例を示す断面図である。
【符号の説明】
【０１１９】
１  太陽電池モジュールの設置具
２  受け台
３  嵌合キャップ（キャップ）
４  太陽電池モジュール
７  中間補強金具（複合補強具）
１０  折板屋根板
１１  屋根板材
１２  起立部
１３  第１接続部（接続部）
２１  支持部
２３  仕切り部
２４  制限部
３１  モジュール押さえ部
３２  連結部
３３  段差部（段差）
３４  鉤部（鉤状の突起）
７１  第１押さえ部（補強具、第一補助部）
７４  翼部（補助モジュール押さえ部）
７６  第２押さえ部（接続金具、第二補助部）
７７  上面（接続手段）
７９  接続端部（接続手段）
【図１】
2007123730.tif 000003
【図２】
2007123730.tif 000004
【図３】
2007123730.tif 000005
【図４】
2007123730.tif 000006
【図５】
2007123730.tif 000007
【図６】
2007123730.tif 000008
【図７】
2007123730.tif 000009
【図８】
2007123730.tif 000010
【図９】
2007123730.tif 000011
【図１０】
2007123730.tif 000012
【図１１】
2007123730.tif 000013
【図１２】
2007123730.tif 000014
【図１３】
2007123730.tif 000015
【図１４】
2007123730.tif 000016
【図１５】
2007123730.tif 000017